(57)【要約】【課題】メイン制御部とサブ制御部がＩ２Ｃ通信によってチューナにおけるテレビジョン信号を受信する動作を制御するチューナユニット装置において、メイン制御部による通信とサブ制御部による通信とが干渉しないようにする。【解決手段】メイン制御部２は、チューナ４におけるデジタルテレビジョン信号の受信動作とメイン制御対象５における動作を制御し、サブ制御部３は、チューナ４におけるアナログテレビジョン信号の受信動作とサブ制御対象６における動作を制御する。デモジュレータ７は、サブ制御部３がチューナ４におけるアナログテレビジョン信号の受信動作を制御しているときに、メイン制御部２から送信された制御信号がチューナ４に伝達されない状態にする。ＦＥＴ回路８は、メイン制御部２がチューナ４におけるデジタルテレビジョン信号の受信動作を制御しているときに、サブ制御部３から送信された制御信号がチューナ４に伝達されない状態にする。【選択図】図１
2010212798.tif 000002
【特許請求の範囲】
【請求項１】
第1の通信ラインを介して制御信号を送信するメイン制御部と、第２の通信ラインを介して制御信号を送信するサブ制御部と、前記第１の通信ラインと前記第２の通信ラインとに共通に接続された、前記メイン制御部及び前記サブ制御部により制御される共通制御対象と、前記第1の通信ラインに接続された、前記メイン制御部により制御されるメイン制御対象と、前記第２の通信ラインに接続された、前記サブ制御部により制御されるサブ制御対象とを備え、
前記共通制御対象は、デジタルテレビジョン信号を受信して、そのデジタルテレビジョン信号の受信信号を出力すると共に、アナログテレビジョン信号を受信して、そのアナログテレビジョン信号の受信信号を出力するチューナであり、
前記メイン制御部は、前記第1の通信ラインを介してＩ２Ｃ通信によって制御信号を送信することにより、前記チューナにおける前記デジタルテレビジョン信号を受信する動作、及び前記メイン制御対象における動作を制御し、
前記サブ制御部は、前記第２の通信ラインを介してＩ２Ｃ通信によって制御信号を送信することにより、前記チューナにおける前記アナログテレビジョン信号を受信する動作、及び前記サブ制御対象における動作を制御する、チューナユニット装置において、
前記メイン制御部から前記チューナに到る前記第1の通信ラインに設けられ、前記メイン制御部から送信された制御信号が前記第1の通信ラインを介して前記チューナに伝達される状態と伝達されない状態とに切換える第１の切換え手段と、
前記サブ制御部から前記チューナに到る前記第２の通信ラインに設けられ、前記サブ制御部から送信された制御信号が前記第２の通信ラインを介して前記チューナに伝達される状態と伝達されない状態とに切換える第２の切換え手段とをさらに備え、
前記第1の切換え手段は、前記サブ制御部が前記チューナにおける前記アナログテレビジョン信号を受信する動作を制御しているときに、前記メイン制御部から送信された制御信号が前記第1の通信ラインを介して前記チューナに伝達されない状態にし、
前記第２の切換え手段は、前記メイン制御部が前記チューナにおける前記デジタルテレビジョン信号を受信する動作を制御しているときに、前記サブ制御部から送信された制御信号が前記第２の通信ラインを介して前記チューナに伝達されない状態にする、
ことを特徴とするチューナユニット装置。
【請求項２】
前記第1の切換え手段は、前記チューナから出力された前記デジタルテレビジョン信号の受信信号を処理するデモジュレータであり、前記メイン制御部から送信された制御信号を中継送信するリピータ機能を有し、前記メイン制御部から送信される制御信号によって前記リピータ機能が働く状態と働かない状態とに切換えられることにより、前記メイン制御部から送信された制御信号が前記第1の通信ラインを介して前記チューナに伝達される状態と伝達されない状態とに切換える、
ことを特徴とする請求項１に記載のチューナユニット装置。
【請求項３】
前記第２の切換え手段は、ＦＥＴを有するＦＥＴ回路であり、前記メイン制御部から送信されて前記デモジュレータから中継送信される制御信号によって前記ＦＥＴが導通状態と非導通状態とに切換えられることにより、前記サブ制御部から送信された制御信号が前記第２の通信ラインを介して前記チューナに伝達される状態と伝達されない状態とに切換える、
ことを特徴とする請求項２に記載のチューナユニット装置。
【発明の詳細な説明】
【技術分野】
【０００１】
本発明は、デジタルテレビジョン信号及びアナログテレビジョン信号を受信するチューナユニット装置に関するものである。
【背景技術】
【０００２】
従来から、テレビジョン信号を受信するチューナユニット装置において、デジタルテレビジョン信号とアナログテレビジョン信号の両方を受信する機能を持つチューナを設けて、そのチューナによりデジタルテレビジョン信号とアナログテレビジョン信号を受信するようにしたものがある。また、このようなチューナユニット装置において、メイン制御部とサブ制御部とを設けて、メイン制御部とサブ制御部がＩ２Ｃ通信によってチューナにおけるテレビジョン信号を受信する動作を制御するようにしたものがある。
【０００３】
一方、デジタルテレビジョン信号とアナログテレビジョン信号の両方を受信する機能を持つチューナを備えたチューナユニット装置において、デジタル受信制御ラインとアナログ受信制御ラインとを切換えるバススイッチを設け、アナログ受信制御用ラインをＭＯＳＦＥＴを介してバススイッチに接続するようにしたものが知られている（例えば特許文献１参照）。また、衛星放送用のチューナにおいて、アナログＦＭ変調信号を処理する第１の信号処理回路と、デジタルＱＰＳＫ変調信号を処理する第２の信号処理回路を備え、第１の信号処理回路と第２の信号処理回路のいずれか一方をオンし、他方をオフするようにしたものが知られている（例えば特許文献２参照）。また、チューナユニット装置において、重畳回路の前段に、映像信号と特定画面信号を選択的に切換えるスイッチ回路を備えたものが知られている（例えば特許文献３参照）。また、ＮＴＳＣ方式のテレビジョン信号とＡＴＳＣ方式のテレビジョン信号を受信するチューナユニット装置において、各処理回路への電力供給を個別にオン、オフするための複数のスイッチと、受信信号の供給先を切換える切換えスイッチを備えたものが知られている（例えば特許文献４参照）。また、デジタルテレビジョン信号とアナログテレビジョン信号の両方を受信する機能を持つチューナを備えたチューナユニット装置において、アナログテレビジョン信号の受信時に、フロントエンド部の動作クロックの形成を停止して、フロントエンド部をスリープモードにするようにしたものが知られている（例えば特許文献５参照）。
【先行技術文献】
【特許文献】
【０００４】
【特許文献１】特開２００８−２７１２９０号公報
【特許文献２】特許第３５０４８４７号公報
【特許文献３】実用新案登録第３０５２６８２号公報
【特許文献４】特開２００６−１４０８４６号公報
【特許文献５】特開２００８−１３５９７３号公報
【発明の概要】
【発明が解決しようとする課題】
【０００５】
ところで、上述した従来のチューナユニット装置において、メイン制御部がチューナにおけるテレビジョン信号を受信する動作を制御しているときに、サブ制御部がチューナ以外の制御対象（例えば、デジタル信号をアナログ信号に変換するＤＡＣ、解像度の変換等を行うためのスケーラＩＣ、外部機器に対する信号の入出力の選択等を行うための入出力セレクタ、ＥＰＧデータを処理するためのスライサＩＣ、音声を多重化するための音声多重処理回路等）における動作を制御しようとすると、メイン制御部による通信とサブ制御部による通信とが干渉してしまう。その結果、メイン制御部による、チューナにおけるテレビジョン信号を受信する動作の制御と、サブ制御部による、チューナ以外の制御対象における動作の制御とを同時に行うことができない。
【０００６】
また、サブ制御部がチューナにおけるテレビジョン信号を受信する動作を制御しているときに、メイン制御部がチューナ以外の制御対象における動作を制御しようとする場合も、メイン制御部による通信とサブ制御部による通信とが干渉してしまう。その結果、サブ制御部による、チューナにおけるテレビジョン信号を受信する動作の制御と、メイン制御部による、チューナ以外の制御対象における動作の制御とを同時に行うことができない。なお、上述した特許文献１乃至特許文献５に開示の内容を適用したとしても、上記の問題を解決することはできない。
【０００７】
本発明は、上記課題を解決するためになされたものであり、メイン制御部とサブ制御部がＩ２Ｃ通信によってチューナにおけるテレビジョン信号を受信する動作を制御するチューナユニット装置において、メイン制御部による通信とサブ制御部による通信とが干渉しないチューナユニット装置を提供することを目的とする。
【課題を解決するための手段】
【０００８】
上記目的を達成するために請求項１の発明は、第1の通信ラインを介して制御信号を送信するメイン制御部と、第２の通信ラインを介して制御信号を送信するサブ制御部と、第１の通信ラインと第２の通信ラインとに共通に接続された、メイン制御部及びサブ制御部により制御される共通制御対象と、第1の通信ラインに接続された、メイン制御部により制御されるメイン制御対象と、第２の通信ラインに接続された、サブ制御部により制御されるサブ制御対象とを備え、共通制御対象は、デジタルテレビジョン信号を受信して、そのデジタルテレビジョン信号の受信信号を出力すると共に、アナログテレビジョン信号を受信して、そのアナログテレビジョン信号の受信信号を出力するチューナであり、メイン制御部は、第1の通信ラインを介してＩ２Ｃ通信によって制御信号を送信することにより、チューナにおけるデジタルテレビジョン信号を受信する動作、及びメイン制御対象における動作を制御し、サブ制御部は、第２の通信ラインを介してＩ２Ｃ通信によって制御信号を送信することにより、チューナにおけるアナログテレビジョン信号を受信する動作、及びサブ制御対象における動作を制御する、チューナユニット装置において、メイン制御部からチューナに到る第1の通信ラインに設けられ、メイン制御部から送信された制御信号が第1の通信ラインを介してチューナに伝達される状態と伝達されない状態とに切換える第１の切換え手段と、サブ制御部からチューナに到る第２の通信ラインに設けられ、サブ制御部から送信された制御信号が第２の通信ラインを介してチューナに伝達される状態と伝達されない状態とに切換える第２の切換え手段とをさらに備え、第1の切換え手段は、サブ制御部がチューナにおけるアナログテレビジョン信号を受信する動作を制御しているときに、メイン制御部から送信された制御信号が第1の通信ラインを介してチューナに伝達されない状態にし、第２の切換え手段は、メイン制御部がチューナにおけるデジタルテレビジョン信号を受信する動作を制御しているときに、サブ制御部から送信された制御信号が第２の通信ラインを介してチューナに伝達されない状態にするものである。
【０００９】
請求項２の発明は、請求項１に記載のチューナユニット装置において、第1の切換え手段は、チューナから出力されたデジタルテレビジョン信号の受信信号を処理するデモジュレータであり、メイン制御部から送信された制御信号を中継送信するリピータ機能を有し、メイン制御部から送信される制御信号によってリピータ機能が働く状態と働かない状態とに切換えられることにより、メイン制御部から送信された制御信号が第1の通信ラインを介してチューナに伝達される状態と伝達されない状態とに切換えるものである。
【００１０】
請求項３の発明は、請求項２に記載のチューナユニット装置において、第２の切換え手段は、ＦＥＴを有するＦＥＴ回路であり、メイン制御部から送信されてデモジュレータから中継送信される制御信号によってＦＥＴが導通状態と非導通状態とに切換えられることにより、サブ制御部から送信された制御信号が第２の通信ラインを介してチューナに伝達される状態と伝達されない状態とに切換えるものである。
【発明の効果】
【００１１】
請求項１の発明によれば、メイン制御部がチューナにおけるデジタルテレビジョン信号を受信する動作を制御しているときには、第２の切換え手段の働きによって、サブ制御部から送信された制御信号がチューナに伝達されることがなく、また、サブ制御部がチューナにおけるアナログテレビジョン信号を受信する動作を制御しているときには、第１の切換え手段の働きによって、メイン制御部から送信された制御信号がチューナに伝達されることがない。これにより、メイン制御部がチューナにおけるデジタルテレビジョン信号を受信する動作を制御しているときに、メイン制御部による通信とサブ制御部による通信とが干渉せず、また、サブ制御部がチューナにおけるアナログテレビジョン信号を受信する動作を制御しているときに、サブ制御部による通信とメイン制御部による通信とが干渉しない。従って、メイン制御部による、チューナにおけるデジタルテレビジョン信号を受信する動作の制御と、サブ制御部による、サブ制御対象における動作の制御とを同時に行うことができ、また、サブ制御部による、チューナにおけるアナログテレビジョン信号を受信する動作の制御と、メイン制御部による、メイン制御対象における動作の制御とを同時に行うことができる。
【００１２】
請求項２の発明によれば、第１の切換え手段は、チューナから出力されたデジタルテレビジョン信号の受信信号を処理するデモジュレータであるため、簡素な構成によって、メイン制御部による通信とサブ制御部による通信とが干渉しない構成を実現することができる。
【００１３】
請求項３の発明によれば、第２の切換え手段は、ＦＥＴ回路であるため、簡素な構成によって、メイン制御部による通信とサブ制御部による通信とが干渉しない構成を実現することができる。
【図面の簡単な説明】
【００１４】
【図１】本発明の一実施形態に係るチューナユニット装置の概略構成を示す電気的ブロック構成図。
【発明を実施するための形態】
【００１５】
以下、本発明を具体化した実施形態によるチューナユニット装置について図面を参照して説明する。図１は、本実施形態によるチューナユニット装置の構成を示す。チューナユニット装置１は、デジタルテレビジョン信号及びアナログテレビジョン信号を受信する装置である。チューナユニット装置１は、メイン制御部２と、サブ制御部３と、共通制御対象であるチューナ４と、メイン制御対象５（５ａ、５ｂ、・・・）と、サブ制御対象６（６ａ、６ｂ、・・・）と、デモジュレータ７と、ＦＥＴ回路８とを備えている。
【００１６】
メイン制御部２及びサブ制御部３は、チューナユニット装置１を制御する。メイン制御部２は、操作信号入力ライン２９から入力される操作信号（ユーザによる操作内容を示す信号）を受けて、チューナユニット装置１を制御する。メイン制御部２とサブ制御部３は、制御部間通信ライン２３を介して相互に通信し、サブ制御部３は、メイン制御部２からの指令を受けて、チューナユニット装置１を制御する。メイン制御部２は、第1の通信ライン２０を介して、Ｉ２Ｃ通信によって、チューナユニット装置１を制御するための各種制御信号を送信し、サブ制御部３は、第２の通信ライン３０を介して、Ｉ２Ｃ通信によって、チューナユニット装置１を制御するための各種制御信号を送信する。
【００１７】
チューナ４は、デジタルテレビジョン信号を受信して、そのデジタルテレビジョン信号の受信信号を出力すると共に、アナログテレビジョン信号を受信して、そのアナログテレビジョン信号の受信信号を出力するものである。チューナ４は、メイン制御部２及びサブ制御部３により制御される対象であり、第１の通信ライン２０と第２の通信ライン３０とに共通に接続されている。
【００１８】
メイン制御対象５（５ａ、５ｂ、・・・）は、メイン制御部２により制御される対象であり、第1の通信ライン２０に接続されている。サブ制御対象６（６ａ、６ｂ、・・・）は、サブ制御部３により制御される対象であり、第２の通信ライン３０に接続されている。メイン制御対象５（５ａ、５ｂ、・・・）及びサブ制御対象６（６ａ、６ｂ、・・・）は、例えば、デジタル信号をアナログ信号に変換するＤＡＣ、解像度の変換等を行うためのスケーラＩＣ、外部機器に対する信号の入出力の選択等を行うための入出力セレクタ、ＥＰＧデータを処理するためのスライサＩＣ、音声を多重化するための音声多重処理回路などである。
【００１９】
デモジュレータ７は、チューナ４から出力されたデジタルテレビジョン信号の受信信号を処理するものである。また、このデモジュレータ７は、メイン制御部２から送信された制御信号が第1の通信ライン２０を介してチューナ４に伝達される状態と伝達されない状態とに切換えるものであり、メイン制御部２からチューナ４に到る第1の通信ライン２０（２０ａ）に設けられている。デモジュレータ７により、第1の切換え手段が構成されている。
【００２０】
ＦＥＴ回路８は、サブ制御部３から送信された制御信号が第２の通信ライン３０を介してチューナ４に伝達される状態と伝達されない状態とに切換えるものであり、サブ制御部３からチューナ４に到る第２の通信ライン３０（３０ａ）に設けられている。ＦＥＴ回路８により、第２の切換え手段が構成されている。
【００２１】
メイン制御部２は、第1の通信ライン２０を介してＩ２Ｃ通信によって制御信号を送信することにより、チューナ４におけるデジタルテレビジョン信号を受信する動作、メイン制御対象５（５ａ、５ｂ、・・・）における動作、デモジュレータ７における動作、及びＦＥＴ回路８における動作を制御する。サブ制御部３は、第２の通信ライン３０を介してＩ２Ｃ通信によって制御信号を送信することにより、チューナ４におけるアナログテレビジョン信号を受信する動作、及びサブ制御対象６（６ａ、６ｂ、・・・）における動作を制御する。
【００２２】
チューナユニット装置１は、メイン制御部２とサブ制御部３がＩ２Ｃ通信によってチューナ４を制御することにより、デジタルテレビジョン信号及びアナログテレビジョン信号を受信する。チューナ４から出力されるデジタルテレビジョン信号の受信信号は、映像に関する信号や音声に関する信号、ＥＰＧデータ等がデジタル圧縮符号化され多重化されたＴＳ（Transport Stream）信号である。チューナ４から出力されたデジタルテレビジョン信号の受信信号は、デモジュレータ７において展開、復号等の処理が行われた後、デモジュレータ７から出力される。デモジュレータ７から出力された（展開、復号等の処理が行われた後の）デジタルテレビジョン信号の受信信号、及びチューナ４から出力されたアナログテレビジョン信号の受信信号は、メイン制御対象５（５ａ、５ｂ、・・・）及びサブ制御対象６（６ａ、６ｂ、・・・）に含まれる各種の信号処理部において信号処理が施された後、外部機器のディスプレイ及びスピーカに供給される。
【００２３】
上記デモジュレータ７は、メイン制御部２から送信された制御信号を中継送信するリピータ機能を有しており、リピータ機能をオンにしているとき（リピータ機能が働いているとき）には、メイン制御部２から送信された制御信号を中継送信し、リピータ機能をオフにしているとき（リピータ機能が働いていないとき）には、メイン制御部２から送信された制御信号を中継送信しない。すなわち、デモジュレータ７は、リピータ機能をオンにしているときには、メイン制御部２から送信された制御信号が第1の通信ライン２０を介してチューナ４に伝達される状態にし、リピータ機能をオフにしているときには、メイン制御部２から送信された制御信号が第1の通信ライン２０を介してチューナ４に伝達されない状態にする。そして、デモジュレータ７は、サブ制御部３がチューナ４におけるアナログテレビジョン信号を受信する動作を制御しているときには、リピータ機能をオフにすることにより、メイン制御部２から送信された制御信号が第1の通信ライン２０を介してチューナ４に伝達されない状態にする。
【００２４】
デモジュレータ７は、メイン制御部２から第1の通信ライン２０を介してＩ２Ｃ通信によって送信される制御信号を受けて、リピータ機能をオンとオフとに切換える。すなわち、デモジュレータ７は、メイン制御部２から送信される制御信号によってリピータ機能がオンとオフとに切換えられることにより、（その後に）メイン制御部２から送信された制御信号が第1の通信ライン２０を介してチューナ４に伝達される状態と伝達されない状態とに切換える。
【００２５】
上記ＦＥＴ回路８は、ＦＥＴを有しており、ＦＥＴをオンにしているとき（ＦＥＴが導通状態のとき）には、サブ制御部３から送信された制御信号がチューナ４に伝達される状態にし、ＦＥＴをオフにしているとき（ＦＥＴが非導通状態のとき）には、サブ制御部３から送信された制御信号がチューナ４に伝達されない状態にする。そして、ＦＥＴ回路８は、メイン制御部２がチューナ４におけるデジタルテレビジョン信号を受信する動作を制御しているときには、ＦＥＴをオフにすることにより、サブ制御部３から送信された制御信号が第２の通信ライン３０を介してチューナ４に伝達されない状態にする。
【００２６】
ＦＥＴ回路８は、メイン制御部２から送信されてデモジュレータ７から中継送信された制御信号を受けて、ＦＥＴをオンとオフとに切換える。すなわち、ＦＥＴ回路８は、メイン制御部２から送信されてデモジュレータ７から中継送信された制御信号によってＦＥＴがオンとオフとに切換えられることにより、（その後に）サブ制御部３から送信された制御信号が第２の通信ライン３０を介してチューナ４に伝達される状態と伝達されない状態とに切換える。
【００２７】
次に、チューナユニット装置１の動作について説明する。チューナユニット装置１は、メイン制御部２及びサブ制御部３による制御のもと、（１）アナログテレビジョン信号を受信していないときに、操作信号入力ライン２９からメイン制御部２にデジタルテレビジョン信号を受信することを示す操作信号が入力された場合、（２）デジタルテレビジョン信号を受信していないときに、操作信号入力ライン２９からメイン制御部２にアナログテレビジョン信号を受信することを示す操作信号が入力された場合、（３）アナログテレビジョン信号を受信しているときに、操作信号入力ライン２９からメイン制御部２にデジタルテレビジョン信号を受信することを示す操作信号が入力された場合、（４）デジタルテレビジョン信号を受信しているときに、操作信号入力ライン２９からメイン制御部２にアナログテレビジョン信号を受信することを示す操作信号が入力された場合について、以下のように動作する。
【００２８】
（１）アナログテレビジョン信号を受信していないときに、操作信号入力ライン２９からメイン制御部２にデジタルテレビジョン信号を受信することを示す操作信号が入力された場合。
【００２９】
この場合、まず、メイン制御部２は、リピータ機能をオンにすることを指令する制御信号を第1の通信ライン２０を介して送信する。これにより、デモジュレータ７は、その制御信号を受信し、リピータ機能をオンにする。
【００３０】
続いて、メイン制御部２は、ＦＥＴ回路８のＦＥＴをオフにすることを指令する制御信号を第1の通信ライン２０を介して送信する。このとき、デモジュレータ７は、リピータ機能がオンになっており、そのリピータ機能によって、メイン制御部２から送信された制御信号を中継送信する。これにより、ＦＥＴ回路８は、メイン制御部２から送信された制御信号（ＦＥＴ回路８のＦＥＴをオフにすることを指令する制御信号）を受信し、ＦＥＴをオフにする。
【００３１】
そして、メイン制御部２は、デジタルテレビジョン信号を受信することを指令する制御信号を第1の通信ライン２０を介して送信する。このとき、デモジュレータ７は、リピータ機能がオンになっており、そのリピータ機能によって、メイン制御部２から送信された制御信号を中継送信する。これにより、チューナ４は、メイン制御部２から送信された制御信号（デジタルテレビジョン信号を受信することを指令する制御信号）を受信し、デジタルテレビジョン信号を受信する。また、このとき、ＦＥＴ回路８は、ＦＥＴがオフになっており、サブ制御部３から送信される制御信号を伝達しない。つまり、メイン制御部２がデジタルテレビジョン信号を受信することを指令する制御信号を第1の通信ライン２０を介して送信するとき（すなわち、メイン制御部２がチューナ４におけるデジタルテレビジョン信号を受信する動作を制御しているとき）、サブ制御部３がサブ制御対象６（６ａ、６ｂ、・・・）における動作を指令する制御信号を第２の通信ライン３０を介して送信しても、その制御信号がチューナ４に伝達されることがない。
【００３２】
（２）デジタルテレビジョン信号を受信していないときに、操作信号入力ライン２９からメイン制御部２にアナログテレビジョン信号を受信することを示す操作信号が入力された場合。
【００３３】
この場合、まず、メイン制御部２は、リピータ機能をオンにすることを指令する制御信号を第1の通信ライン２０を介して送信する。これにより、デモジュレータ７は、その制御信号を受信し、リピータ機能をオンにする。
【００３４】
続いて、メイン制御部２は、ＦＥＴ回路８のＦＥＴをオンにすることを指令する制御信号を第1の通信ライン２０を介して送信する。このとき、デモジュレータ７は、リピータ機能がオンになっており、そのリピータ機能によって、メイン制御部２から送信された制御信号を中継送信する。これにより、ＦＥＴ回路８は、メイン制御部２から送信された制御信号（ＦＥＴ回路８のＦＥＴをオンにすることを指令する制御信号）を受信し、ＦＥＴをオンにする。その後、メイン制御部２は、リピータ機能をオフにすることを指令する制御信号を第1の通信ライン２０を介して送信する。これにより、デモジュレータ７は、その制御信号を受信し、リピータ機能をオフにする。
【００３５】
そして、メイン制御部２は、制御部間通信ライン２３を介して、サブ制御部３に対して、アナログテレビジョン信号を受信することを指令する。サブ制御部３は、この指令を受けて、アナログテレビジョン信号を受信することを指令する制御信号を第２の通信ライン３０を介して送信する。このとき、ＦＥＴ回路８は、ＦＥＴがオンになっており、サブ制御部３から送信された制御信号を伝達する。これにより、チューナ４は、サブ制御部３から送信された制御信号（アナログテレビジョン信号を受信することを指令する制御信号）を受信し、アナログテレビジョン信号を受信する。また、このとき、デモジュレータ７は、リピータ機能がオフになっており、メイン制御部２から送信された制御信号を中継送信しない。つまり、サブ制御部３がアナログテレビジョン信号を受信することを指令する制御信号を第２の通信ライン３０を介して送信するとき（すなわち、サブ制御部３がチューナ４におけるアナログテレビジョン信号を受信する動作を制御しているとき）、メイン制御部２がメイン制御対象５（５ａ、５ｂ、・・・）における動作を指令する制御信号を第１の通信ライン２０を介して送信しても、その制御信号がチューナ４に伝達されることがない。
【００３６】
（３）アナログテレビジョン信号を受信しているときに、操作信号入力ライン２９からメイン制御部２にデジタルテレビジョン信号を受信することを示す操作信号が入力された場合。
【００３７】
この場合、まず、メイン制御部２は、制御部間通信ライン２３を介して、サブ制御部３に対して、アナログテレビジョン信号の受信を終了することを指令する。サブ制御部３は、この指令を受けて、アナログテレビジョン信号の受信を終了することを指令する制御信号を第２の通信ライン３０を介して送信する。このとき、ＦＥＴ回路８は、ＦＥＴがオンになっており、サブ制御部３から送信された制御信号を伝達する。これにより、チューナ４は、サブ制御部３から送信された制御信号（アナログテレビジョン信号の受信を終了することを指令する制御信号）を受信し、アナログテレビジョン信号の受信を終了する。
【００３８】
続いて、メイン制御部２は、リピータ機能をオンにすることを指令する制御信号を第1の通信ライン２０を介して送信する。これにより、デモジュレータ７は、その制御信号を受信し、リピータ機能をオンにする。その後、メイン制御部２は、ＦＥＴ回路８のＦＥＴをオフにすることを指令する制御信号を第1の通信ライン２０を介して送信する。このとき、デモジュレータ７は、リピータ機能がオンになっており、そのリピータ機能によって、メイン制御部２から送信された制御信号を中継送信する。これにより、ＦＥＴ回路８は、メイン制御部２から送信された制御信号（ＦＥＴ回路８のＦＥＴをオフにすることを指令する制御信号）を受信し、ＦＥＴをオフにする。
【００３９】
そして、メイン制御部２は、デジタルテレビジョン信号を受信することを指令する制御信号を第1の通信ライン２０を介して送信する。このとき、デモジュレータ７は、リピータ機能がオンになっており、そのリピータ機能によって、メイン制御部２から送信された制御信号を中継送信する。これにより、チューナ４は、メイン制御部２から送信された制御信号（デジタルテレビジョン信号を受信することを指令する制御信号）を受信し、デジタルテレビジョン信号を受信する。また、このとき、ＦＥＴ回路８は、ＦＥＴがオフになっており、サブ制御部３から送信される制御信号を伝達しない。つまり、メイン制御部２がデジタルテレビジョン信号を受信することを指令する制御信号を第1の通信ライン２０を介して送信するとき（すなわち、メイン制御部２がチューナ４におけるデジタルテレビジョン信号を受信する動作を制御しているとき）、サブ制御部３がサブ制御対象６（６ａ、６ｂ、・・・）における動作を指令する制御信号を第２の通信ライン３０を介して送信しても、その制御信号がチューナ４に伝達されることがない。
【００４０】
（４）デジタルテレビジョン信号を受信しているときに、操作信号入力ライン２９からメイン制御部２にアナログテレビジョン信号を受信することを示す操作信号が入力された場合。
【００４１】
この場合、まず、メイン制御部２は、デジタルテレビジョン信号の受信を終了することを指令する制御信号を第１の通信ライン２０を介して送信する。このとき、デモジュレータ７は、リピータ機能がオンになっており、そのリピータ機能によって、メイン制御部２から送信された制御信号を中継送信する。これにより、チューナ４は、メイン制御部２から送信された制御信号（デジタルテレビジョン信号の受信を終了することを指令する制御信号）を受信し、デジタルテレビジョン信号の受信を終了する。
【００４２】
続いて、メイン制御部２は、ＦＥＴ回路８のＦＥＴをオンにすることを指令する制御信号を第1の通信ライン２０を介して送信する。このとき、デモジュレータ７は、リピータ機能がオンになっており、そのリピータ機能によって、メイン制御部２から送信された制御信号を中継送信する。これにより、ＦＥＴ回路８は、メイン制御部２から送信された制御信号（ＦＥＴ回路８のＦＥＴをオンにすることを指令する制御信号）を受信し、ＦＥＴをオンにする。その後、メイン制御部２は、リピータ機能をオフにすることを指令する制御信号を第1の通信ライン２０を介して送信する。これにより、デモジュレータ７は、その制御信号を受信し、リピータ機能をオフにする。
【００４３】
そして、メイン制御部２は、制御部間通信ライン２３を介して、サブ制御部３に対して、アナログテレビジョン信号を受信することを指令する。サブ制御部３は、この指令を受けて、アナログテレビジョン信号を受信することを指令する制御信号を第２の通信ライン３０を介して送信する。このとき、ＦＥＴ回路８は、ＦＥＴがオンになっており、サブ制御部３から送信された制御信号を伝達する。これにより、チューナ４は、サブ制御部３から送信された制御信号（アナログテレビジョン信号を受信することを指令する制御信号）を受信し、アナログテレビジョン信号を受信する。また、このとき、デモジュレータ７は、リピータ機能がオフになっており、メイン制御部２から送信された制御信号を中継送信しない。つまり、サブ制御部３がアナログテレビジョン信号を受信することを指令する制御信号を第２の通信ライン３０を介して送信するとき（すなわち、サブ制御部３がチューナ４におけるアナログテレビジョン信号を受信する動作を制御しているとき）、メイン制御部２がメイン制御対象５（５ａ、５ｂ、・・・）における動作を指令する制御信号を第１の通信ライン２０を介して送信しても、その制御信号がチューナ４に伝達されることがない。
【００４４】
このように、上記構成のチューナユニット装置１によれば、メイン制御部２がチューナ４におけるデジタルテレビジョン信号を受信する動作を制御しているときには、ＦＥＴ回路８の働きによって、サブ制御部３から送信された制御信号がチューナ４に伝達されることがない。また、サブ制御部３がチューナ４におけるアナログテレビジョン信号を受信する動作を制御しているときには、デモジュレータ７の働きによって、メイン制御部２から送信された制御信号がチューナ４に伝達されることがない。
【００４５】
これにより、メイン制御部２がチューナ４におけるデジタルテレビジョン信号を受信する動作を制御しているときに、メイン制御部２による通信とサブ制御部３による通信とが干渉せず、また、サブ制御部３がチューナ４におけるアナログテレビジョン信号を受信する動作を制御しているときに、サブ制御部３による通信とメイン制御部２による通信とが干渉しない。
【００４６】
従って、メイン制御部２による、チューナ４におけるデジタルテレビジョン信号を受信する動作の制御と、サブ制御部３による、サブ制御対象６（６ａ、６ｂ、・・・）における動作の制御とを同時に行うことができ、また、サブ制御部３による、チューナ４におけるアナログテレビジョン信号を受信する動作の制御と、メイン制御部２による、メイン制御対象５（５ａ、５ｂ、・・・）における動作の制御とを同時に行うことができる。
【００４７】
しかも、サブ制御部３がチューナ４におけるアナログテレビジョン信号を受信する動作を制御しているときに、メイン制御部２から送信された制御信号がチューナ４に伝達されないようにする手段として、チューナ４から出力されたデジタルテレビジョン信号の受信信号を処理するデモジュレータ７を用いているため、簡素な構成によって、メイン制御部による通信とサブ制御部による通信とが干渉しない構成を実現することができる。
【００４８】
また、メイン制御部２がチューナ４におけるデジタルテレビジョン信号を受信する動作を制御しているときに、サブ制御部３から送信された制御信号がチューナ４に伝達されないようにする手段として、ＦＥＴ回路８を用いているため、簡素な構成によって、メイン制御部２による通信とサブ制御部３による通信とが干渉しない構成を実現することができる。
【００４９】
なお、本発明は、上記実施形態の構成に限られず、種々の変形が可能である。例えば、デモジュレータに代えて、他の手段によって、サブ制御部がチューナにおけるアナログテレビジョン信号を受信する動作を制御しているときに、メイン制御部から送信された制御信号がチューナに伝達されないようにしてもよい。また、ＦＥＴ回路に代えて、他の手段によって、メイン制御部がチューナにおけるデジタルテレビジョン信号を受信する動作を制御しているときに、サブ制御部から送信された制御信号がチューナに伝達されないようにしてもよい。
【符号の説明】
【００５０】
１    チューナユニット装置
２    メイン制御部
３    サブ制御部
４    チューナ（共通制御対象）
５、５ａ、５ｂ    メイン制御対象
６、６ａ、６ｂ    サブ制御対象
７    デモジュレータ（第1の切換え手段）
８    ＦＥＴ回路（第２の切換え手段）
２０、２０ａ    第1の通信ライン
２３    制御部間通信ライン
２９    操作信号入力ライン
３０、３０ａ    第２の通信ライン
【図１】
2010212798.tif 000003